(57)【特許請求の範囲】
【請求項１】
表示器を保護するために表示器と共に梱包される表示器用緩衝材であって、
外形が略矩形の緩衝板を、幅方向に沿った少なくとも２つの折り目で折り畳んでなり、
折り目で区切られた緩衝板の複数領域が、緩衝板の幅方向に沿ってスリットが形成された第１領域と、第１領域に隣接する第２領域と、第２領域に隣接し、かつ、スリットに嵌入可能な嵌入部が形成された第３領域とを含み、
第１領域、第２領域、および第３領域のいずれか１つに、表示器を嵌め込んで保持するための開口部が形成されており、
緩衝板を広げて嵌入部をスリットに嵌入することで、三角筒状に組み立てることができるようになっていることを特徴とする表示器用緩衝材。
【請求項２】
折り目で区切られた緩衝板の複数領域が、第３領域に隣接する第４領域をさらに含み、
上記嵌入部が、第３領域と第４領域とに跨がって形成されており、
第３領域と第４領域とを折り重ねた状態で嵌入部をスリットに嵌入することで、三角筒状に組み立てることができるようになっていることを特徴とする請求項１記載の表示器用緩衝材。
【請求項３】
表示器を固定する治具を収納するための治具収納用開口部がさらに形成されていることを特徴とする請求項１または２に記載の表示器用緩衝材。
【請求項４】
段ボールで形成されていることを特徴とする請求項１ないし３のいずれか１項に記載の表示器用緩衝材。
【発明の詳細な説明】
【０００１】
【発明の属する技術分野】
本発明は、プログラマブル表示器等の表示器を保護するために表示器とともに梱包される表示器用緩衝材に関するものであり、特に、緩衝板を幅方向に沿った少なくとも２つの折り目で折り畳んでなり、緩衝板を広げて組み立てたときに、表示器を支持する表示器用スタンドとして使用可能になる表示器用緩衝材に関するものである。
【０００２】
【従来の技術】
プログラマブル表示器は、制御対象機器の動作状況を表示する表示機能と、該制御対象機器の動作を制御するための操作を行う操作機能とを有するものである。
【０００３】
プログラマブル表示器は、通常、ドット表示画面、操作用入力スイッチ、ホストコントローラとのインターフェース、画面上での操作入力等の制御のためのプログラムメモリ等を備えた操作用表示器である。一般に、プログラマブル表示器は、グラフィック表示を行うので、操作盤、スイッチ、表示灯等の機能を備えることができる他、制御対象機器の稼働状況や作業指示のような管理のための各種のモニタ、機器に対する設定値を入力する端末としての機能を備えており、幅広い用途で活用されている。
【０００４】
このため、生産現場だけでなく、あらゆる施設や設備にプログラマブル表示器が設置されるようになってきた。また、プログラマブル表示器は、表示部と操作部とが一体に設けられて小型化かつ軽量化が図られているので、設置場所の制約が少なく、導入が容易である。
【０００５】
プログラマブル表示器を制御盤等の設置場所に組み込む際には、組み込み直前に、制御対象機器に応じたソフトウェアをインストールする操作が必要である。このソフトウェアをインストールする操作には、ソフトウェアが記憶された外部記憶装置を表示器に接続することが必要であるため、制御盤等の設置場所に組み込んだ状態でこの操作を行うことは難しい。そこで、従来は、プログラマブル表示器を設置場所とは別の場所に置いて、この操作を行っていた。
【０００６】
しかしながら、プログラマブル表示器は、通常、底面が平坦でなく、また、奥行きが幅および高さより短いので、単に置いているだけでは、不安定になる。そのため、プログラマブル表示器の表示画面が見にくく、また、プログラマブル表示器が操作しずらいという問題が生じている。
【０００７】
また、タッチパネル標準装備の機器組み込み専用タイプの表示器の別売り品ととして、金属製の開発・メンテナンス用簡易スタンドが販売されている。
【０００８】
【発明が解決しようとする課題】
ところが、プログラマブル表示器へソフトウェアをインストールする操作は、梱包から取り出した初めの数分だけの作業であり、プログラマブル表示器を制御盤へ取り付けた後には必要のない作業である。
【０００９】
そのため、ソフトウェアインストール用のスタンドは、数分しか使用されないので、耐久性を必要としない。それゆえ、前述したような金属製の簡易スタンドをソフトウェアインストール用に別売りしても、コストアップに見合った効果が得られない。
【００１０】
また、ソフトウェアインストール用のスタンドは、再使用することも可能であるが、新しいプログラマブル表示器の導入はあまり頻繁に行われるものではないので、使用後に不要となる場合が多い。ところが、前述したような簡易スタンドは、金属製であるため、廃棄処分しにくい。
【００１１】
さらに、このような別売りの製品は、間違いのないようにプログラマブル表示器と組み合わせて管理しておく必要があり、製品管理の上でも手間がかかる。
【００１２】
以上のことから、安価で、かつ、不要になった時点で容易に廃棄処分することができ、製品管理の容易なプログラマブル表示器用スタンドが求められている。
【００１３】
一方、プログラマブル表示器を梱包する際には、プログラマブル表示器を保護するための緩衝材が使用されているが、この緩衝材は、梱包を開けた後には何の役にも立たないものであった。
【００１４】
本発明は、上記従来の問題に鑑みなされたものであり、その目的は、表示器とともに梱包されて表示器を保護するための表示器用緩衝材において、組み立てたときに表示器を支持する表示器用スタンドとして使用可能になる表示器用緩衝材を提供することにある。
【００１５】
【課題を解決するための手段】
本願発明者等は、上記の課題を解決すべく鋭意検討した結果、プログラマブル表示器の梱包に用いている緩衝材を利用して、表示器へのソフトインストール時の簡易スタンドとすることに想到したものである。
【００１６】
本発明の表示器用緩衝材は、上記の課題を解決するために、表示器を保護するために表示器と共に梱包される表示器用緩衝材であって、表示器を嵌め込んで保持するための開口部が形成された平板状の表示器保持部と、表示器保持部を立った状態（水平でない状態）で支持するための支持部とを備えることを特徴としている。
【００１７】
上記構成では、表示器を立った状態で支持する表示器用スタンドとして使用可能であり、表示器用スタンドを兼ねることができる。その結果、表示器を立った状態で支持する表示器用スタンドを安価に提供することが可能になる。また、この表示器用スタンドは、表示器と共に梱包される表示器用緩衝材であるため、必ず１つの表示器に１つ用意することができる。
【００１８】
また、本発明の表示器用緩衝材は、上記の課題を解決するために、表示器を保護するために表示器と共に梱包される表示器用緩衝材であって、スリットと、スリットに嵌入可能な嵌入部と、表示器を嵌め込んで保持するための開口部とを有し、スリットに嵌入部を嵌入することで筒状に組み立てることができるようになっていることを特徴としている。
【００１９】
上記構成では、組み立てたときに表示器を立った状態で支持する表示器用スタンドとして使用可能となるので、表示器用スタンドを兼ねることができる。その結果、表示器を支持する表示器用スタンドを安価に提供することが可能になる。また、この表示器用スタンドは、表示器と共に梱包される表示器用緩衝材を組み立てたものであるため、必ず１つの表示器に１つ用意することができる。
【００２０】
また、本発明の表示器用緩衝材は、上記の課題を解決するために、表示器を保護するために表示器と共に梱包される表示器用緩衝材であって、外形が略矩形の緩衝板を、幅方向に沿った少なくとも２つの折り目で折り畳んでなり、折り目で区切られた緩衝板の複数領域が、緩衝板の幅方向に沿ってスリットが形成された第１領域と、第１領域に隣接する第２領域と、第２領域に隣接し、かつ、スリットに嵌入可能な嵌入部が形成された第３領域とを含み、第１領域、第２領域、および第３領域のいずれか１つに、表示器を嵌め込んで保持するための開口部が形成されており、緩衝板を広げて嵌入部をスリットに嵌入することで、三角筒状に組み立てることができるようになっていることを特徴としている。
【００２１】
上記構成では、組み立てたときに表示器を立った状態で支持する表示器用スタンドとして使用可能となるので、表示器用スタンドを兼ねることができる。その結果、表示器を立った状態で支持する表示器用スタンドを安価に提供することが可能になる。また、この表示器用スタンドは、表示器と共に梱包される表示器用緩衝材を組み立てたものであるため、必ず１つの表示器に１つ用意することができる。
【００２２】
また、上記構成では、表示器用スタンドが、嵌入部をスリットに嵌入することで三角筒状に組み立てたものであるため、表示器用スタンドの形が変化しにくく、表示器を安定した状態に保つことができる。
【００２３】
また、上記構成では、緩衝板を幅方向に沿った少なくとも２つの折り目で折り畳んでなるので、厚みが薄い。そのため、不要になったときに簡単に捨てることができる。
【００２４】
また、上記構成では、緩衝板を幅方向に沿った少なくとも２つの折り目で折り畳んでなるので、緩衝板を３枚以上重ねたものとほぼ同等の緩衝作用が得られ、緩衝作用が大きい。したがって、表示器に加わる衝撃をさらに弱めることができる。その結果、搬送時等において、表示器の破損をより確実に防止できる。
【００２５】
また、上記構成では、外形が略矩形の緩衝板を幅方向に沿った少なくとも２つの折り目で折り畳んでなるので、平面寸法が小さい。それゆえ、表示器の梱包サイズを小さくすることができる。
【００２６】
また、上記構成では、表示器用スタンドに組み立てたときに、三角筒状となるので、開口部が形成された面が鉛直線に対して傾く。したがって、表示器用スタンドの開口部に表示器を嵌め込むと、表示器の表示画面が鉛直線に対して傾く。その結果、表示器のやや上方から表示器の表示画面を見ることが多い使用者が、表示器の表示画面が水平や鉛直である場合よりも表示器の表示画面を見やすくなる。
【００２７】
また、上記第２の構成の表示器用緩衝材は、折り目で区切られた緩衝板の複数領域が、第３領域に隣接する第４領域をさらに含み、上記嵌入部が、第３領域と第４領域とに跨がって形成されており、第３領域と第４領域とを折り重ねた状態で嵌入部をスリットに嵌入することで、三角筒状に組み立てることができるようになっていることが好ましい。
【００２８】
上記構成によれば、表示器用緩衝材の厚みをより厚くして表示器用緩衝材による緩衝作用を高めることができるので、表示器に加わる衝撃をさらに弱めることができる。その結果、搬送時等において、表示器の破損をより確実に防止できる。
【００２９】
また、上記構成によれば、表示器用スタンドに組み立てたときに、第３領域が第４の領域によって補強される。そのため、表示器をより安定した状態で固定しておくことが可能となる。
【００３０】
また、上記各構成の表示器用緩衝材では、表示器を固定する治具を収納するための治具収納用開口部がさらに形成されていてもよい。
【００３１】
治具による固定が必要な表示器を梱包する場合、一般に、表示器とともに治具が梱包されるが、上記構成によれば、梱包する際に、治具を表示器用緩衝材の内部の空間に収納することができる。それゆえ、梱包サイズをより小さくすることができる。
【００３２】
また、上記各構成の表示器用緩衝材は、段ボールで形成されていることが好ましい。
【００３３】
上記構成によれば、安価であり、かつ、加工性に優れた段ボールを使用するので、表示器用緩衝材を安価にかつ容易に製造することができる。また、段ボールで形成されているので、容易にリサイクルあるいは焼却処分することが可能となる。
【００３４】
なお、本願明細書において、「緩衝板」とは、緩衝作用を有する板を指すものとする。
【００３５】
【発明の実施の形態】
本発明に係る表示器用緩衝材の実施の一形態について図１ないし図７に基づいて説明すれば、以下の通りである。
【００３６】
図２に示すように、本実施形態に係る表示器用緩衝材２０は、表示器３０を保護するために表示器３０とともに梱包されるものであり、略矩形の平板状の外形を有している。図２に示す表示器用緩衝材２０の梱包方法については、後述する。なお、この表示器３０は、前面（表示面）の高さ・幅が背面の高さ・幅より大きいものである。
【００３７】
本実施形態に係る表示器用緩衝材２０は、図３に示すように、緩衝板（１〜４）を３つの折り目部（折り目）５〜７で折り畳んでなるものである。また、表示器用緩衝材２０は、後述するように、表示器３０を支持するための表示器用スタンドに組み立てることができるようになっている。
【００３８】
まず、完全に展開した状態の表示器用緩衝材２０、すなわち、緩衝板について、図１に基づいて説明する。
【００３９】
本実施形態に係る緩衝板は、外形が略矩形で均一な厚みを有するものである。図１に示すように、緩衝板１０には、その幅方向に沿って３つの折り目部５〜７が設けられている。緩衝板１０における３つの折り目部５〜７によって区切られた４つの部分は、端から順に、底板部（支持部、第１領域）１、表示器保持部（第２領域）２、裏板部（支持部、第３領域）３、および補強板部（支持部、第４領域）４となっており、互いに略等しい外形を有している。
【００４０】
緩衝板１０を構成する材料としては、図２のように梱包された状態で外部から加えられた衝撃を弱めて表示器３０を保護する作用（緩衝作用）を有し、表示器用スタンドに組み立てられたときに表示器３０を安定して支持することができるような材料であれば、特に限定されるものではないが、安価であり、加工性に優れ、また、容易にリサイクルあるいは焼却処分することができる点で、段ボールが特に好ましい。
【００４１】
なお、以下の説明では、緩衝板１０の長手方向、すなわち、図１における縦方向を緩衝板長手方向と呼び、緩衝板１０の幅方向、すなわち、図１における横方向を緩衝板幅方向と呼ぶことにする。
【００４２】
緩衝板１０の長手方向端部、すなわち、底板部１における表示器保持部２から遠い側の緩衝板長手方向端部には、緩衝板幅方向に沿ってスリット１ｂ、スリット１ａ、およびスリット１ｂがこの順で一直線上に形成されている。スリット１ａは、緩衝板幅方向の中央部に設けられている一方、スリット１ｂ・１ｂは、緩衝板幅方向の両端に設けられている。
【００４３】
スリット１ａおよびスリット１ｂ・１ｂはそれぞれ、後述するように、表示器用スタンドに組み立てるときに嵌入部対８Ａおよび嵌入部対８Ｂ・８Ｂが嵌入されるものである。したがって、スリット１ａおよびスリット１ｂ・１ｂの幅は、裏板部３および補強板部４の合計の厚み、すなわち、緩衝板１０の２枚分の厚みと略等しい。
【００４４】
底板部１には、コの字状の切り込み１ｃが設けられているとともに、切り込み１ｃの両端を結ぶ線に沿って、底板部１の一面（図１の前面）から他面（図１の裏面）の手前まで達する溝１ｄが形成されている。切り込み１ｃおよび溝１ｄで囲まれた矩形の部分は、折り畳んだ状態（表示器用緩衝材２０）において、後述する治具収納用開口部２ｃ・３ｂ・４ｇ内の治具を収納するための治具収納空間を覆う治具収納用蓋部１ｅとして機能するものである。したがって、治具収納用蓋部１ｅは、折り畳んだ状態（表示器用緩衝材２０）において、後述する治具収納部４ｂの治具収納用開口部４ｇに重なるように形成されている。
【００４５】
また、治具収納用蓋部１ｅは、折り畳んだ状態（表示器用緩衝材２０）において、治具収納空間に治具を出し入れすることができるように、溝１ｄを折り目として図１の奥に向かって１８０°折り返すことができるようになっている。なお、治具収納用蓋部１ｅの方向や形状は特に限定されるものではないが、この場合、治具収納用蓋部１ｅは、緩衝板長手方向を長手方向とする矩形に形成され、緩衝板長手方向に沿った折り目（溝１ｄ）で折り返せるようになっている。
【００４６】
コの字状の切り込み１ｃにおける２つの角を結ぶ部分（緩衝板長手方向に沿った部分）は、治具収納用蓋部１ｅを折り返しやすいように、使用者が指を挿入できるような構造となっている。具体的には、切り込み１ｃにおける２つの角を結ぶ部分がスリット状に形成され、そのスリット状部分の中央に指を挿入するための指挿入口１ｆが形成されている。また、これらの部分の寸法や形状は特に限定されるものではないが、この場合、切り込み１ｃのスリット状部分の幅が１ｃｍ、指挿入口１ｆが直径２ｃｍの半円形となっている。
【００４７】
底板部１における表示器保持部２側の端の中央部には、緩衝板幅方向を長手方向とする矩形の開口部１ｇが形成されている。開口部１ｇの長さ（緩衝板幅方向の寸法）は、底板部１の緩衝板幅方向の寸法の半分より長くなっている。ただし、開口部１ｇは、後述する２つの折曲部５ｃより内側に形成されている。この開口部１ｇは、表示器用スタンドに組み立てられ表示器３０が取り付けられたときに、表示器の下部端子に接続された配線を配設する空間を広げ、配線の取り回しを容易にするためのものである。
【００４８】
底板部１と表示器保持部２との間の折り目部５には、緩衝板幅方向に沿って切り込み５ｂ、切り込み５ａ、および切り込み５ｂがこの順で一直線上に形成されている。切り込み５ａは折り目部５の中央部に設けられている一方、切り込み５ｂ・５ｂは折り目部５の両端に設けられている。折り目部５における切り込みのない部分、すなわち、切り込み５ｂ・５ａ・５ｂの間の部分は、底板部１と表示器保持部２とを連結する折曲部５ｃ・５ｃとなっている。
【００４９】
折曲部５ｃ・５ｃはそれぞれ、底板部１側の端線（図１の破線）を折り目として図１の手前の面が内側となる方向に９０°折り曲げるとともに、表示器保持部２側の端線（図１の破線）を折り目として図１の手前の面が内側となる方向に９０°折り曲げることができるようになっている。これにより、折曲部５ｃ・５ｃは全体として、図１の手前の面が内側となる方向に１８０°折り曲げることができる。
【００５０】
折曲部５ｃ・５ｃのそれぞれの緩衝板幅方向の両端には、折曲部５ｃ・５ｃにおける１８０°の折り曲げが容易となるように、緩衝板長手方向に沿った切れ目５ｄ・５ｄ・５ｄ・５ｄが設けられている。切れ目５ｄ・５ｄ・５ｄ・５ｄの長さは、緩衝板１０の２枚分の厚みと略同じになっている。
【００５１】
表示器保持部２には、表示器３０を嵌め込んで保持するための開口部２ａが形成されている。開口部２ａは、表示器３０の背面と略同一の寸法となるように形成されている。開口部２ａ内、すなわち、表示器保持部２の内側には、表示器３０を設置場所に固定するネジ等の治具を収納するための治具収納部２ｂが溝２ｄを介して取り付けられている。治具収納部２ｂは、矩形部に治具収納用開口部２ｃを設けたものであり、治具収納用開口部２ｃ内に治具を収納するようになっている。溝２ｄは、底板部１の一面（図１の前面）から他面（図１の裏面）の手前まで達するように形成されている。これにより、表示器用スタンドに組み立てるときに、開口部２ａに表示器３０を嵌め込む際に、治具収納部２ｂを１８０°折り返して開口部２ａから治具収納部２ｂを取り除くことが可能となっている。
【００５２】
表示器保持部２と裏板部３との間の折り目部６には、緩衝板幅方向に沿って切り込み６ａ・６ａが一直線上に形成されている。切り込み６ａ・６ａは折り目部５の中央部および両端を除いて形成されている。折り目部６における切り込み６ａ・６ａのない部分、すなわち、切り込み６ａ・６ａの間の部分および折り目部６の両端は、それぞれ、表示器保持部２と裏板部３とを連結する折曲部６ｂおよび折曲部６ｃ・６ｃとなっている。
【００５３】
折曲部６ｂ・６ｃ・６ｃはそれぞれ、表示器保持部２側の端線（図１の破線）を折り目として図１の手前の面が内側となる方向に９０°折り曲げるとともに、裏板部３側の端線（図１の破線）を折り目として図１の手前の面が内側となる方向に９０°折り曲げることができるようになっている。これにより、折曲部６ｂ・６ｃ・６ｃは全体として、図１の手前の面が内側となる方向に１８０°折り曲げることができる。
【００５４】
折曲部６ｂ・６ｃ・６ｃにおける１８０°折り曲げが容易となるように、折曲部６ｂの緩衝板幅方向の両端に緩衝板長手方向に沿った切れ目６ｄ・６ｄが設けられ、折曲部６ｃ・６ｃの緩衝板幅方向のそれぞれの一端（内側の端）に緩衝板長手方向に沿った切れ目６ｅ・６ｅが設けられている。切れ目６ｄ・６ｄ・６ｅ・６ｅの長さは、緩衝板１０の１枚分の厚みと略同じになっている。
【００５５】
裏板部３には、表示器用スタンドに組み立てられ表示器３０が取り付けられたときに表示器３０の裏面に接続する配線を通すための配線用開口部３ａが形成されている。また、表示器保持部２と裏板部３と折り重ねたときに治具収納部２ｂと重なり合う位置には、表示器３０を設置場所に固定するネジ等の治具を収納するための治具収納用開口部３ｂが形成されている。
【００５６】
裏板部３および補強板部４の境界部分における、折り畳んだ状態（表示器用緩衝材２０）で折曲部５ｃ・５ｃと重なり合う位置、すなわち、緩衝板幅方向の中央部および両端を除く位置には、矩形状の切り抜き部７ｃ・７ｃが形成されている。
【００５７】
切り抜き部７ｃ・７ｃが形成されていることにより、上記境界部分の裏板部３側には、緩衝板幅方向中央部に嵌入部３ｃが形成され、緩衝板幅方向両端に嵌入部３ｄ・３ｄが形成されている。さらに、切り抜き部７ｃ・７ｃが形成されていることにより、上記境界部分の補強板部４側には、緩衝板幅方向中央部に嵌入部４ｃが形成され、緩衝板幅方向両端に嵌入部４ｄ・４ｄが形成されている。
【００５８】
嵌入部３ｃと嵌入部４ｃ、嵌入部３ｄ・３ｄと嵌入部４ｄ・４ｄはそれぞれ、表示器用スタンドに組み立てられたときに、互いに重なり合い、スリット１ａに嵌入可能な嵌入部対８Ａ、スリット１ｂ・１ｂに嵌入可能な嵌入部対８Ｂ・８Ｂを形成するようになっている。したがって、嵌入部３ｃおよび嵌入部４ｃの緩衝板幅方向の位置および寸法は、スリット１ａと略同じであり、また、嵌入部３ｄ・３ｄおよび嵌入部４ｄ・４ｄの緩衝板幅方向の位置および寸法は、スリット１ｂ・１ｂの位置および寸法と略同じである。
【００５９】
切り抜き部７ｃ・７ｃはそれぞれ、折り畳んだ状態、すなわち、表示器用緩衝材２０において、折曲部５ｃ・５ｃを収納することにより表示器用緩衝材２０の平面寸法が各部１〜４の平面寸法より大きくならないようにする機能も有している。
【００６０】
裏板部３と補強板部４との間の折り目部７には、上述した切り抜き部７ｃ・７ｃ以外に、切り抜き部７ｃ・７ｃの間の部分における中央部を除く部分には、緩衝板幅方向に沿った切り込み７ａ・７ａが一直線上に形成されている。
【００６１】
切り抜き部７ｃ・７ｃの間の部分における切り込み７ａ・７ａのない部分、すなわち、折り目部７の中央部は、それぞれ、裏板部３と補強板部４とを１８０°折り曲げ可能に連結する折曲部７ｄとなっている。折曲部７ｄは、裏板部３側の端線（図１の破線）を折り目として図１の手前に向かって９０°折り曲げるとともに、補強板部４側の端線（図１の破線）を折り目として図１の手前に向かって９０°折り曲げることができるようになっている。また、折り目部７の両端部（嵌入部３ｄ・３ｄと嵌入部４ｄ・４ｄとの境界）は、１８０°折り曲げることができるようになっている。これらにより、裏板部３は、補強板部４に対して図１の手前に向かって１８０°折り曲げることができる。
【００６２】
補強板部４において、表示器用スタンドに組み立てられたときに配線用開口部３ａと重なり合う位置には、表示器３０の裏面に接続する配線を通すための配線用開口部４ａが形成されている。また、補強板部４において、折り畳んだ状態（表示器用緩衝材２０）において、治具収納部２ｂおよび治具収納用開口部３ｂと重なり合う位置には、表示器３０を設置場所に固定するネジ等の治具を収納するための治具収納部４ｂが設けられている。治具収納部４ｂは、矩形部に治具収納用開口部４ｇを設けたものであり、治具収納用開口部４ｇ内に治具を収納するようになっている。
【００６３】
補強板部４における裏板部３から遠い側の緩衝板長手方向端部には、切り抜き部４ｆ・４ｅ・４ｆが設けられている。切り抜き部４ｆ・４ｅ・４ｆはそれぞれ、折り畳んだ状態、すなわち、表示器用緩衝材２０において、折曲部６ｃ・６ｂ・６ｃを収納することにより表示器用緩衝材２０の平面寸法が各部１〜４の平面寸法より大きくならないようにするものである。したがって、切り抜き部４ｆ・４ｅ・４ｆは、折り畳んだ状態（表示器用緩衝材２０）において、折曲部６ｃ・６ｂ・６ｃと重なるように設けられている。
【００６４】
次に、緩衝板１０を折り畳んで表示器用緩衝材２０を得る方法について説明する。
【００６５】
まず、折り目部７で、緩衝板１０を図１の手前の面が内側となる方向に１８０°折り曲げることにより、補強板部４と裏板部３とを重ね合わせる。次いで、折り目部６で、緩衝板１０を折り目部７での折り曲げ方向と同じ方向（図１の手前の面が内側となる方向）に１８０°折り曲げることにより、補強板部４と表示器保持部２とを重ね合わせる。さらに、折り目部５で、折り目部７での折り曲げ方向と同じ方向（図１の手前の面が内側となる方向）に緩衝板１０を１８０°折り曲げる。裏板部３と底板部１とを重ね合わせる。このようにして、緩衝板１０が、図３に示すような折り畳まれた状態の緩衝板１０、すなわち、表示器用緩衝材２０に変化する。
【００６６】
このとき、図３には示していないが、底板部１には、治具収納用蓋部１ｅが形成されており、治具収納用蓋部１ｅの内側（図３の上方）には、治具収納用開口部２ｃ・３ｂ・４ｇによって治具収納空間が形成される。また、治具収納部２ｂ・４ｂによって、治具収納空間に収納した治具が表示器用緩衝材２０の中央部へ移動しないようになっている。
【００６７】
次に、表示器用緩衝材２０を用いた表示器３０の梱包方法について、図２に基づいて説明する。
【００６８】
まず、図示しない段ボール箱等の梱包用の箱に、段ボールや発泡スチロール等からなる緩衝材１１を入れた後、緩衝材１１の上に表示器３０を入れる。さらに、表示器３０の上に、段ボールや発泡スチロール等からなる緩衝材１２を入れる。次いで、緩衝材１１の上に、治具収納用蓋部１ｅが上となるように表示器用緩衝材２０を載せる。さらに、表示器用緩衝材２０の治具収納用蓋部１ｅを開け、治具収納用蓋部１ｅの下に形成された治具収納空間に治具を収納してから、治具収納用蓋部１ｅを閉める。これにより、治具は、治具収納用蓋部１ｅと緩衝材１１とで挟まれて保持される。最後に、梱包用の箱の蓋を閉める。
【００６９】
このようにして、表示器３０を梱包することで、緩衝材１１・１２のみで梱包した場合と比較して、表示器３０に加わる衝撃をさらに弱めることができる。その結果、搬送時等において表示器３０の破損をより確実に防止できる。
【００７０】
なお、梱包を開ける際には、上記と逆の手順で、治具、表示器用緩衝材２０、および表示器３０を取り出せばよい。
【００７１】
次に、表示器用緩衝材２０を組み立てて表示器用スタンドとする方法について図３ないし図５に基づいて説明する。なお、図３ないし図５においては、図面を簡素化するために、切り込み１ｃ、治具収納用蓋部１ｅ、指挿入口１ｆ、開口部１ｇ、治具収納部２ｂ、治具収納部４ｂ等を省略して示している。
【００７２】
まず、図３に示す表示器用緩衝材２０を底板部１側を下にして置く。次いで、図４に示すように、表示器保持部２、裏板部３、および補強板部４を持ち上げる。次いで、裏板部３および補強板部４を表示器保持部２から引き離した後、図５に示すように、裏板部３および補強板部４の嵌入部対８Ｂ・８Ａ・８Ｂをそれぞれ底板部１のスリット１ｂ・１ａ・１ｂに嵌入する。このとき、嵌入部対８Ｂ・８Ａ・８Ｂの緩衝板長手方向寸法は、底板部１の厚みより長いので、嵌入部対８Ｂ・８Ａ・８Ｂの一部は、スリット１ｂ・１ａ・１ｂを突き抜ける。さらに、図５には示していないが、表示器用緩衝材２０の開口部２ａ内に設けられている治具収納部２ｂを外側へ１８０°折り返す。あるいは、治具収納部２ｂを切り取る。これにより、表示器用緩衝材２０が、図６に示すような表示器用スタンド４０に組み立てられる。
【００７３】
次に、表示器用スタンド４０の構成について図６に基づいて説明する。なお、図６においても、図面を簡素化するために、切り込み１ｃ、治具収納用蓋部１ｅ、指挿入口１ｆ、開口部１ｇ、治具収納部２ｂ、治具収納部４ｂ等を省略して示している。
【００７４】
表示器用スタンド４０は、開口部２ａが形成された前板（表示器保持部２）と、前板の下端に連設された底板（底板部１）と、前板の上端に連設されるとともにその先端部（前板から遠い側の端部）が底板の先端部（前板から遠い側の端部）に結合された裏板（裏板部３および補強板部４）とからなっている。底板の先端部と裏板の先端部との結合は、前述したように、底板の先端部に形成されたスリット１ｂ・１ａ・１ｂに対して、裏板の先端部の嵌入部対８Ｂ・８Ａ・８Ｂが嵌入されることでなされている。
【００７５】
したがって、表示器用スタンド４０は、三角筒状となっている。正確に言うと、表示器用スタンド４０は、三角筒に対して、三角筒の一辺に、その辺を挟む２つの面のうちの一方の面の延長面上に形成された第１の突出部（底板におけるスリット１ｂ・１ａ・１ｂより先の部分）と、他方の面の延長面上に形成された第２の突出部（裏板におけるスリット１ｂ・１ａ・１ｂを突き抜けた部分）を設けたものとなっている。
【００７６】
このようにして、表示器用スタンド４０では、裏板（裏板部３および補強板部４）および底板（底板部１）により、前板（表示器保持部２）が、水平面に対して４０°より僅かに大きい角度に立った状態で支持される。
【００７７】
裏板には、配線を通すための配線用開口部３ａ・４ａが形成されている。また、図６には示していないが、底板における前板側の端部には、配線の取り回しを容易にするための開口部１ｇが形成されている。
【００７８】
次に、表示器用緩衝材２０を組み立てることにより得られた表示器用スタンド４０の使用方法について、図６および図７に基づいて説明する。なお、図７においても、図面を簡素化するために、切り込み１ｃ、治具収納用蓋部１ｅ、指挿入口１ｆ、開口部１ｇ、治具収納部２ｂ、治具収納部４ｂ等を省略して示している。
【００７９】
まず、表示器用スタンド４０の開口部２ａに表示器３０を嵌め込んで固定する。次いで、表示器３０の裏側および下側に設けられた端子部に対し、ソフトウェアが記憶された外部記憶装置や電源等を配線で接続する。この配線は、裏板の配線用開口部３ａ・４ａを通して表示器３０の端子部に接続される。このとき、表示器用スタンド４０の底板における前板側の端部には開口部１ｇが形成されているので、表示器３０の下部端子に接続された配線を配設する空間が広く、配線の取り回しが容易である。さらに、表示器３０を操作して、外部記憶装置から制御対象機器に応じたソフトウェアをインストールする。その後、表示器３０は、治具を用いて制御盤等の設置場所に組み込まれる。表示器用スタンド４０は、表示器３０の組み込み終了後は特に必要がないので、他の表示器に使用する必要がないのであれば、廃棄処分してしまえばよい。この際、緩衝板１０が段ボールであれば、廃棄処分が容易である。
【００８０】
本実施形態の表示器用緩衝材２０は、以上のように、表示器３０を嵌め込んで保持するための開口部２ａが形成された平板状の表示器保持部２と、表示器保持部２を立った状態で支持するための底板部１、裏板部３、および補強板部４とを備えている。
【００８１】
上記構成では、表示器３０を立った状態で支持する表示器用スタンド４０として使用可能であり、表示器用緩衝材２０が表示器用スタンド４０を兼ねることができる。その結果、表示器３０を立った状態で支持する表示器用スタンド４０を安価に提供することが可能になる。また、この表示器用スタンド４０は、表示器３０と共に梱包される表示器用緩衝材２０であるため、必ず１つの表示器３０に１つ用意することができる。
【００８２】
また、本実施形態の表示器用緩衝材２０は、以上のように、外形が略矩形の緩衝板１０を、幅方向に沿った折り目部５〜７で折り畳んでなり、折り目部５〜７で区切られた緩衝板１０の複数領域が、緩衝板幅方向に沿ってスリット１ｂ・１ａ・１ｂが形成された底板部１と、底板部１に隣接する表示器保持部２と、表示器保持部２に隣接し、かつ、スリット１ｂ・１ａ・１ｂに嵌入可能な嵌入部対８Ｂ・８Ａ・８Ｂが形成された裏板部３とを含み、表示器保持部２に、表示器３０を嵌め込んで保持するための開口部２ａが形成されており、緩衝板１０を広げて嵌入部対８Ｂ・８Ａ・８Ｂをスリット１ｂ・１ａ・１ｂに嵌入することで、三角筒状に組み立てることができるようになっている。
【００８３】
上記構成では、組み立てたときに表示器３０を立った状態で支持する表示器用スタンド４０として使用可能となるので、表示器用緩衝材２０が表示器用スタンド４０を兼ねることができる。それゆえ、表示器３０を立った状態で支持する表示器用スタンド４０を安価に提供することが可能になる。また、この表示器用スタンド４０は、表示器３０と共に梱包される表示器用緩衝材２０を組み立てたものであるため、必ず１つの表示器３０に１つ用意することができる。
【００８４】
また、上記構成では、表示器用スタンド４０が、嵌入部対８Ｂ・８Ａ・８Ｂをスリット１ｂ・１ａ・１ｂに嵌入することで三角筒状に組み立てたものであるため、表示器用スタンド４０の形が変化しにくい。それゆえ、表示器３０を安定した状態に保つことができる。
【００８５】
また、上記構成では、緩衝板１０を幅方向に沿った折り目部５〜７で折り畳んでなるので、厚みが薄く、かつ、平面寸法が小さい。そのため、表示器３０の梱包サイズを小さくすることができ、また、不要になったときに簡単に捨てることができる。
【００８６】
また、上記構成では、表示器用スタンド４０に組み立てたときに、三角筒状となるので、開口部２ａが形成された面が鉛直線に対して傾く。それゆえ、表示器用スタンド４０の開口部２ａに表示器３０を嵌め込んだときに、表示器３０の表示画面が鉛直線に対して傾く。その結果、表示器３０の表示画面が水平や鉛直である場合よりも、使用者が表示器３０の表示画面を見やすくなる。
【００８７】
また、本実施形態の表示器用緩衝材２０では、折り目部５〜７で区切られた緩衝板１０の複数領域が、底板部１、表示器保持部２、および裏板部３に加えて、裏板部３に隣接する第４の領域（補強板部４）を有している。これにより、表示器用緩衝材２０の厚みをより厚くして表示器用緩衝材２０による緩衝作用を高めることができるので、表示器３０に加わる衝撃をさらに弱めることができる。その結果、搬送時等において、表示器３０の破損をより確実に防止できる。
【００８８】
また、本実施形態の表示器用緩衝材２０では、第４の領域が、組み立てた状態、すなわち、表示器用スタンド４０において裏板部３を補強する機能を有する補強板部４となっている。これにより、表示器用スタンド４０において、裏板部３が曲がることを防止し、表示器３０を安定した状態で固定しておくことができる。ここで、裏板部３のみを補強しているのは、次の理由からである。すなわち、表示器３０を嵌め込んだ表示器用スタンド４０において、底板部１は表示器３０の荷重を受けないために曲がることがなく、表示器保持部２は表示器３０が嵌め込まれているために曲がりにくい。一方、裏板部３には、表示器３０の裏面に接続する配線を通すための配線用開口部３ａが形成されている。そのため、裏板部３が最も曲がりやすくくなっている。
【００８９】
また、本実施形態の表示器用緩衝材２０では、表示器３０を固定する治具を収納するための治具収納空間が治具収納用開口部２ｃ・３ｂ・４ｇによって形成されている。これにより、梱包する際に、表示器３０を固定するための治具を表示器用緩衝材２０内の治具収納空間に収納することができ、梱包サイズをより小さくすることができる。
【００９０】
なお、本実施形態では、緩衝板１０を３つの折り目で折り畳んでなる４層構造の表示器用緩衝材２０について説明したが、本発明に係る表示器用緩衝材を何層構造にするかは、表示器用緩衝材に要求される厚みや組み立て後の状態（表示器用スタンド４０）に要求される強度を考慮して、適宜選択すればよい。
【００９１】
したがって、例えば、前記の緩衝板１０における補強板部４を省き、３層構造としてもよい。また、前記の緩衝板１０の底板部１側に折り目部を介して底板部１と略等しい外形の第５の部分を連設し、５層構造としてもよい。この第５の部分に底板部１と線対称となるようにスリット等を設けておけば、組み立て時に第５の部分を底板部１に重ね合わせて底板部１を補強することができる。この第５の部分にスリット等を設けない場合には、この第５の部分に組み立て時に底板部１の先に延ばしておけばよい。また、前記の緩衝板１０の補強板部４側に折り目部を介して、表示器保持部２と略等しい形の第５の部分を連設し、５層構造としてもよい。これにより、組み立て時に第５の部分を表示器保持部２に重ね合わせて表示器保持部２を補強することができる。
【００９２】
また、本実施形態の表示器用緩衝材２０では、治具を収納するための治具収納空間を形成していたが、治具を収納する必要がない場合には、治具を収納するための治具収納空間を形成しなくてもよい。したがって、治具収納空間を形成するための治具収納部２ｂ、治具収納用開口部３ｂ、および治具収納部４ｂと、治具収納用蓋部１ｅとを、省略してもよい。
【００９３】
また、本実施形態の表示器用緩衝材２０は、表示器用スタンド４０に組み立てて使用する際に、表示器３０の下側端子部に接続された接続コードを配設する空間を確保するための開口部１ｇを備えていたが、表示器３０の端子部が下側にない場合や、表示器３０の下側端子部と底板部１との間の距離が十分に離れている場合等であれば、開口部１ｇを省略してもよい。
【００９４】
また、本実施形態の表示器用緩衝材２０では、表示器３０の裏側端子部への配線（接続コード）の接続を容易にするために、配線を通すための配線用開口部３ａ・４ａを裏板部３および補強板部４に形成していたが、表示器３０の端子部が裏側には設けられていない場合等であれば、配線用開口部３ａ・４ａを省略してもよい。
【００９５】
また、本実施形態の表示器用緩衝材２０では、折り目部５〜７で区切られた緩衝板１０の４つの領域のうち、第１の領域を底板部１とし、第２の領域を表示器保持部２としていたが、第１〜第３の領域のうちのいずれを底板部としてもよく、また、第１〜第３領域のうちのいずれを表示器保持部としてもよい。
【００９６】
また、本実施形態の表示器用緩衝材２０では、折り目部５〜７における折り曲げ方向が同一であったが、折り目部５〜７における折り曲げ方向は同一でなくともよい。
【００９７】
本発明の表示器用緩衝材は、表示面（前面）の形状が略矩形である表示器であれば、どのような表示器に対して使用しても有効であるが、本実施形態の表示器用緩衝材は、スタンドなしには安定しない表示器に対して使用すると、特に効果的である。スタンドなしには安定しない表示器としては、液晶表示装置等のフラットパネルディスプレイや、フラットパネルディスプレイを表示部に備えるプログラマブル表示器等のような、奥行き（表示面と裏面との距離）が幅および高さより短い表示器；底面が平坦でない表示器等が挙げられる。
【００９８】
また、本発明の表示器用緩衝材は、新規導入時にのみスタンドが必要になる表示器、例えば、制御盤等に組み込む形で使用され、かつ、組み込み直前にソフトウェアをインストールすることが必要なプログラマブル表示器に対して使用すると、特に効果的である。
【００９９】
【発明の効果】
本発明の表示器用緩衝材は、以上のように、表示器を嵌め込んで保持するための開口部が形成された平板状の表示器保持部と、表示器保持部を立った状態で支持するための支持部とを備える構成である。
【０１００】
上記構成では、表示器を立った状態で支持する表示器用スタンドとして使用可能であり、表示器用スタンドを兼ねることができる。それゆえ、上記構成は、表示器を立った状態で支持する表示器用スタンドを安価に提供することが可能になるという効果を奏する。また、この表示器用スタンドは、表示器と共に梱包される表示器用緩衝材であるため、必ず１つの表示器に１つ用意することができる。
【０１０１】
また、本発明の表示器用緩衝材は、以上のように、スリットと、スリットに嵌入可能な嵌入部と、表示器を嵌め込んで保持するための開口部とを有し、スリットに嵌入部を嵌入することで筒状に組み立てることができるようになっている構成である。
【０１０２】
上記構成では、組み立てたときに表示器を立った状態で支持する表示器用スタンドとして使用可能となるので、表示器用スタンドを兼ねることができる。それゆえ、表示器を支持する表示器用スタンドを安価に提供することが可能になるという効果を奏する。また、この表示器用スタンドは、表示器と共に梱包される表示器用緩衝材を組み立てたものであるため、必ず１つの表示器に１つ用意することができる。
【０１０３】
また、本発明の表示器用緩衝材は、以上のように、外形が略矩形の緩衝板を、幅方向に沿った少なくとも２つの折り目で折り畳んでなり、折り目で区切られた緩衝板の複数領域が、緩衝板の幅方向に沿ってスリットが形成された第１領域と、第１領域に隣接する第２領域と、第２領域に隣接し、かつ、スリットに嵌入可能な嵌入部が形成された第３領域とを含み、第１領域、第２領域、および第３領域のいずれか１つに、表示器を嵌め込んで保持するための開口部が形成されており、緩衝板を広げて嵌入部をスリットに嵌入することで、三角筒状に組み立てることができるようになっている構成である。
【０１０４】
上記構成では、組み立てたときに表示器を立った状態で支持する表示器用スタンドとして使用可能となるので、表示器用スタンドを兼ねることができる。それゆえ、表示器を立った状態で支持する表示器用スタンドを安価に提供することが可能になるという効果を奏する。また、この表示器用スタンドは、表示器と共に梱包される表示器用緩衝材を組み立てたものであるため、必ず１つの表示器に１つ用意することができる。
【０１０５】
また、上記構成では、表示器用スタンドが、嵌入部をスリットに嵌入することで三角筒状に組み立てたものであるため、表示器用スタンドの形が変化しにくい。それゆえ、表示器を安定した状態に保つことができるという効果も奏する。
【０１０６】
また、上記構成では、緩衝板を幅方向に沿った少なくとも２つの折り目で折り畳んでなるので、厚みが薄く、かつ、平面寸法が小さい。そのため、表示器の梱包サイズを小さくすることができ、また、不要になったときに簡単に捨てることができるという効果も奏する。
【０１０７】
また、上記構成では、表示器用スタンドに組み立てたときに、三角筒状となるので、開口部が形成された面が鉛直線に対して傾く。それゆえ、表示器用スタンドの開口部に表示器を嵌め込んだときに、表示器の表示画面が水平や鉛直である場合よりも、使用者が表示器の表示画面を見やすくなる。
【０１０８】
また、上記第２の構成の表示器用緩衝材は、折り目で区切られた緩衝板の複数領域が、第３領域に隣接する第４領域をさらに含み、上記嵌入部が、第３領域と第４領域とに跨がって形成されており、第３領域と第４領域とを折り重ねた状態で嵌入部をスリットに嵌入することで、三角筒状に組み立てることができるようになっていることが好ましい。
【０１０９】
上記構成によれば、表示器用緩衝材の厚みをより厚くして表示器用緩衝材による緩衝作用を高めることができるので、表示器に加わる衝撃をさらに弱めることができる。それゆえ、上記構成は、搬送時等において、表示器の破損をより確実に防止できるという効果を奏する。
【０１１０】
また、上記構成によれば、表示器用スタンドに組み立てたときに、第３領域が第４の領域によって補強される。そのため、表示器をより安定した状態で固定しておくことが可能となるという効果も奏する。
【０１１１】
また、上記各構成の表示器用緩衝材では、表示器を固定する治具を収納するための治具収納用開口部がさらに形成されていてもよい。
【０１１２】
上記構成によれば、梱包する際に、治具を表示器用緩衝材の内部の空間に収納することができる。それゆえ、上記構成は、梱包サイズをより小さくすることができという効果を奏する。
【０１１３】
また、上記各構成の表示器用緩衝材は、段ボールで形成されていることが好ましい。
【０１１４】
上記構成によれば、安価であり、かつ、加工性に優れ、しかも容易にリサイクルあるいは焼却処分することが可能な段ボールで形成されている。それゆえ、上記構成は、表示器用緩衝材を安価にかつ容易に製造することができ、また、容易にリサイクルあるいは焼却処分することができるという効果を奏する。
【図面の簡単な説明】
【図１】本発明の実施の一形態に係る表示器用緩衝材を完全に展開した状態を示す平面図である。
【図２】本発明の実施の一形態に係る表示器用緩衝材を用いて表示器の梱包方法を説明するための斜視図である。
【図３】本発明の実施の一形態に係る表示器用緩衝材の構造を示す概略斜視図である。
【図４】本発明の実施の一形態に係る表示器用緩衝材を表示器用スタンドに組み立てる方法における最初の工程を示す概略斜視図である。
【図５】本発明の実施の一形態に係る表示器用緩衝材を表示器用スタンドに組み立てる方法において、嵌入部対をスリットに嵌入する工程を示す概略斜視図である。
【図６】本発明の実施の一形態に係る表示器用緩衝材を組み立てて得られた表示器用スタンドの使用方法を説明するための説明図であり、表示器用スタンドおよび表示器を示す概略斜視図である。
【図７】本発明の実施の一形態に係る表示器用緩衝材を組み立てて得られた表示器用スタンドに表示器を嵌め込んで固定した様子を示す概略斜視図である。
【符号の説明】
１    底板部（支持部、第１領域）
１ａ  スリット
１ｂ  スリット
２    表示器保持部（第２領域）
３    裏板部（支持部、第３領域）
３ｃ  嵌入部
３ｄ  嵌入部
４    補強板部（支持部、第４領域）
４ｃ  嵌入部
４ｄ  嵌入部
８Ａ  嵌入部対（嵌入部）
８Ｂ  嵌入部対（嵌入部）
１０    緩衝板
２０    表示器用緩衝材
３０    表示器
４０    表示器用スタンド
【図１】
0003706005.tif 000002
【図２】
0003706005.tif 000003
【図３】
0003706005.tif 000004
【図４】
0003706005.tif 000005
【図５】
0003706005.tif 000006
【図６】
0003706005.tif 000007
【図７】
0003706005.tif 000008